(57)【要約】【課題】  複数の無線系間の無線中継伝送システムに関し、異なる無線系の親無線機間を子無線機を介して中継伝送する。【解決手段】  親無線機１０，２０と複数の子無線機１１〜１ｍ，２１〜２ｎとを含む複数の無線系１，２を備え、異なる無線系１，２の親無線機１０，２０間の中継伝送を行う無線系無線中継伝送システムであって、親無線機１０，２０は、複数の子無線機１１〜１ｍ，２１〜２ｎ対応に周波数変調、時分割変調、符号拡散変調等により変調して並列的にデータを送信する送信手段と、複数の子無線機１１〜１ｍ，２１〜２ｎが中継送信したデータを受信する受信手段と、データの送受信制御を行い、又再送制御を行うことができる制御手段とを備え、子無線機１１〜１ｍ，２１〜２ｎは、受信手段と送信手段とを備え、送信手段は、親無線機１０，２０の送信手段の送信パワーより大きい送信パワーとすることができる。【選択図】        図１
2005328325.tif 000002
【特許請求の範囲】
【請求項１】
親無線機と複数の子無線機とを含む無線系を複数備え、異なる無線系の親無線機間の中継伝送を行う無線系無線中継伝送システムに於いて、
前記親無線機は、前記複数の子無線機にデータを送信する送信手段と、前記複数の子無線機が中継送信したデータを受信する受信手段と、データの送受信制御を行う制御部とを備えた
ことを特徴とする無線中継伝送システム。
【請求項２】
親無線機と複数の子無線機とを含む無線系を複数備え、異なる無線系の親無線機間の中継伝送を行う無線系無線中継伝送システムに於いて、
前記親無線機は、前記複数の子無線機にデータを送信する送信手段と、前記複数の子無線機が中継送信したデータを受信する受信手段と、該受信手段によりデータを正常に受信できたか否かを判定し、正常に受信できない子無線機が中継送信しようとしたデータを、正常に受信できた子無線機又は送信先としてまだ選択していない子無線機を選択して再送処理する制御手段とを備えた
ことを特徴とする無線中継伝送システム。
【請求項３】
親無線機と複数の子無線機とを含む無線系を複数備え、異なる無線系の親無線機間の中継伝送を行う無線系無線中継伝送システムに於いて、
前記親無線機は、前記複数の子無線機にデータを送信する送信手段と、前記複数の子無線機が中継送信したデータを受信する受信手段と、該受信手段によりデータを正常に受信できたか否かを判定し、正常に受信できない子無線機が中継送信しようとしたデータを、正常に受信できた子無線機又は送信先としてまだ選択していない子無線機を選択して再送処理し、且つ送信するデータの伝送容量に従って中継送信する子無線機を選択すると共に、他の無線系から中継受信する子無線機を選択する制御手段とを備えた
ことを特徴とする無線中継伝送システム。
【請求項４】
前記親無線機の前記送信手段は、前記複数の子無線機対応にデータを変調して送信する構成を有することを特徴とする請求項１乃至３の何れか１項記載の無線中継伝送システム。
【請求項５】
前記子無線機は、データを受信する受信手段と、前記データを中継送信する送信手段とを備え、該送信手段は、前記親無線機の前記送信手段の送信パワーより大きい送信パワーを有する構成を備えたことを特徴とする請求項１乃至４の何れか１項記載の無線中継伝送システム。
【発明の詳細な説明】
【技術分野】
【０００１】
本発明は、親無線機に対して複数の分散配置された子無線機を含む無線系を複数備え、複数の子無線機を中継して親無線機間で情報を高速で伝送する無線中継伝送システムに関する。
【背景技術】
【０００２】
移動又は固定の親無線機に対して、移動又は固定の複数の子無線機を有する無線系は、既に各種知られている。この場合、親無線機と子無線機とは総て同一の周波数を用いる場合や、子無線機対応の周波数を用いて親無線機との間の通信を行う場合が知られている。このように子無線機対応の周波数を用いる場合、親無線機は、周波数によって子無線機を指定して通信することができる。又複数の子無線機に対してそれぞれ異なるタイムスロットを割り当てる場合、親無線機は、タイムスロットを指定することにより、子無線機を指定して通信することができる。同様に、複数の子無線機に対してそれぞれ異なる拡散符号を割り当てて符号拡散変調により通信する場合、親無線機は、子無線機対応の拡散符号を選択することにより、子無線機を指定して通信することができる。
【０００３】
又無線中継方式は、既に各種の方式が提案され、且つ実用化されている。又高速伝送する為に、各種の多重化伝送方式が提案され、且つ実用化されている。例えば、周波数分割多重化方式、時分割多重化方式、符号分割多重化方式等があり、更にそれらの多重化方式を組み合わせた多重化方式も知られている。
【０００４】
このような高速伝送手段としての時分割多重化方式を適用し、親局と複数の子局とを備えた無線通信システムに於いて、各子局は、親局からの受信データのパリティチェック結果の情報を、親局へ多重化して送信し、親局は、子局からのパリティチェック情報により送信ビットレートを切り替えるか否かを判定し、切り替える場合は、そのビットレート情報を多重化して子局へ送信することにより、伝送エラーが多い場合は、ビットレートを低下して送信を継続する手段が知られている（例えば、特許文献１参照）。
【特許文献１】特開平１−１８９２４５号公報
【発明の開示】
【発明が解決しようとする課題】
【０００５】
従来の親無線機と複数の子無線機とを有する無線系に於いては、親無線機と子無線機との間で通信し、又子無線機間でも通信することができる。しかし、異なる無線系の親無線機間でデータを送信する場合に、複数の子無線機を介して送信することができない。
【０００６】
そこで、本発明は、親無線機間で複数の子無線機を介してデータ伝送を可能とすることを目的とする。又本発明を実施する為の最良の形態に於いて示される構成により得られ、従来では得られない各種の効果を奏することは、他の目的の一つとして位置付けられる。
【課題を解決するための手段】
【０００７】
本発明の無線中継伝送システムは、親無線機と複数の子無線機とを含む無線系を複数備え、異なる無線系の親無線機間の中継伝送を行う無線系無線中継伝送システムであって、親無線機は、複数の子無線機にデータを送信する送信手段と、複数の子無線機が中継送信したデータを受信する受信手段と、データの送受信制御を行う制御部とを備えている。
【０００８】
又親無線機は、複数の子無線機にデータを送信する送信手段と、複数の子無線機が中継送信したデータを受信する受信手段と、この受信手段によりデータを正常に受信できたか否かを判定し、正常に受信できない子無線機が中継送信しようとしたデータを、正常に受信できた子無線機又は送信先としてまだ選択していない子無線機を選択して再送処理する制御手段とを備えている。
【０００９】
又親無線機は、複数の子無線機にデータを送信する送信手段と、複数の子無線機が中継送信したデータを受信する受信手段と、この受信手段によりデータを正常に受信できたか否かを判定し、正常に受信できない子無線機が中継送信しようとしたデータを、正常に受信できた子無線機又は送信先としてまだ選択していない子無線機を選択して再送処理し、且つ送信するデータの伝送容量に従って中継送信する子無線機を選択すると共に、他の無線系から中継受信する子無線機を選択する制御手段とを備えている。
【００１０】
又親無線機の送信手段は、複数の子無線機対応にデータを変調して送信する構成を有するもので、複数の子無線機を変調種別で指定することができる。
【００１１】
又子無線機は、データを受信して中継送信する送信手段を備え、この送信手段は、親無線機の送信手段の送信パワーより大きい送信パワーを有する構成を備え、異なる無線系の親無線機間のデータを中継伝送することができる。
【発明の効果】
【００１２】
親無線機から他の無線系の親無線機に対して複数の子無線機を介してデータを中継伝送することにより、高速伝送を容易に実現することが可能となる。又中継伝送できない子無線機が存在する場合は、その子無線機に送信したデータを正常に送受信できた子無線機又はまだ選択していない子無線機を選択して再送処理することにより、データが欠落することなく、親無線機から他の無線系の親無線機に対して、子無線機を介して中継伝送することができる。又子無線機の送信パワーを、親無線機の送信パワーより大きくすることにより、他の無線系に対する中継伝送を行う時に、親無線機の位置探索を困難とすることができる。又異なる無線系相互間の同時的な中継伝送も容易となる。
【発明を実施するための最良の形態】
【００１３】
図１を参照して説明すると、親無線機１０，２０と複数の子無線機１１〜１ｍ，２１〜２ｎとを含む無線系１，２を備え、異なる無線系１，２の親無線機１０，２０間の中継伝送を行う無線系無線中継伝送システムであって、親無線機１０，２０は、複数の子無線機１１〜１ｍ，２１〜２ｎにデータを送信する送信手段と、複数の子無線機１１〜１ｍ，２１〜２ｎが中継送信したデータを受信する受信手段と、データの送受信制御を行う制御部とを備えている。又受信手段によりデータを正常に子無線機１１〜１ｍ，２１〜２ｎが中継送信したか否かを判定し、正常に受信できない子無線機に対するデータは、他の正常に受信できた子無線機を選択するか又は新たな子無線機を選択して再送処理する。
【実施例１】
【００１４】
図１は、本発明の実施例１の説明図であり、無線系１は、固定又は移動可能の親無線機１０と、分散配置の状態で、固定又は移動可能の複数の子無線機１１〜１ｍとを有し、無線系２も同様に、固定又は移動可能の親無線機２０と、分散配置の固定又は移動可能の複数の子無線機２１〜２ｎとを有する場合を示す。親無線機１０，２０は、複数の子無線機にデータを送信（例えば、周波数分割多重方式、時分割多重方式、符号分割多重方式等により送信）する送信手段と、複数の子無線機からのデータを受信する受信手段と、送受信制御する制御手段とを備えている。又各子無線機１１〜１ｍ，２１〜２ｎは、それぞれの親無線機との間、及び異なる無線系のそれぞれ子無線機との間又は異なる無線系の親無線機との間でデータを中継伝送できる受信手段と送信手段とを備えている。
【００１５】
そして、親無線機１０，２０間では、複数の子無線機を介した複数の無線伝送経路を解してデータを伝送する。その場合、周波数分割多重化方式、時分割多重化方式、符号分割多重化方式、或いは、それを組み合わせた多重化方式を適用し、子無線機対応の変調によりデータを送信する。従って、親無線機１０，２０間には、複数の子無線機を介した複数の無線伝送経路により、データが並列的に伝送されることになる。その場合に、データの伝送容量等に従って中継伝送する子無線機の台数を選択することができる。又例えば、子無線機対応に異なる周波数による変調や、子無線機対応に異なる拡散符号による変調等によってデータが伝送されるから、一部のデータが傍受されても全体のデータについての傍受は不可能に近いものとなる。
【００１６】
例えば、周波数分割多重化方式を適用する場合、無線系１の子無線機１１〜１ｍの受信周波数をそれぞれｆ１〜ｆｍ、送信周波数をそれぞれｆ１’〜ｆｍ’とし、又無線系１の親無線機１０の送信周波数をｆ１〜ｆｍ、受信周波数をｆ１’〜ｆｍ’とし、隣接している無線系２の子無線機２１〜２ｎ（この場合、ｎ＝ｍ）の受信周波数をそれぞれｆ１〜ｆｍ、送信周波数をそれぞれｆ１’〜ｆｍ’とし、又親無線機２０の送信周波数をｆ１〜ｆｍ、受信周波数をｆ１’〜ｆｍ’として、無線系１の親無線機１０と、無線系２の親無線機２０との送信手段は、それらの間で、好ましくは、直接的に通信することができないような低送信パワーに設定し、親無線機１０は、送信周波数ｆ１〜ｆｍによりデータを並列的に送信する。即ち、この送信周波数を選択することにより、中継伝送する子無線機を選択することができる。
【００１７】
無線系１の各子無線機１１〜１ｍは、親無線機１０からの送信周波数ｆ１〜ｆｍによるデータを受信すると、それぞれの送信周波数ｆ１’〜ｆｍ’に変換して送信する。親無線機１０は、子無線機１１〜１ｍのそれぞれの送信データを受信できるから、各子無線機１１〜１ｍが正常に送受信可能の状態か否かを判定することができる。若し、正常に送受信できない子無線機が存在する場合、その子無線機に送信したデータを、正常に送受信できた子無線機を選択又は送信先としてまだ選択していなかった子無線機を選択して再送信処理を行う。即ち、異なる無線系１，２の親無線機１０，２０間では、正常に送受信できる子無線機数に対応した多重数で高速伝送を行い、又その伝送過程に於いて正常に送受信できなくなった子無線機が発生した場合は、多重数を低減した状態に変更して継続して高速伝送することができる。この場合、子無線機対応の無線伝送経路で通信する空間分割多重化方式に類似したシステムとなる。
【００１８】
又選択対象となる子無線機は、親無線機が子無線機からの信号の受信により、予め親無線機のメモリに記憶しておき、データの伝送容量等に基づいてメモリに記憶した子無線機の中から選択することができる。又親無線機は、伝送するデータブロックに応じて、子無線機を変更することができる。このようなデータブロック毎の切替えによりデータの傍受を更に防止することができる。
【００１９】
図２は、周波数分割多重化方式を適用した場合の周波数ｆ１〜ｆｍと送信パワーとの一例を示し、各周波数ｆ１〜ｆｍの信号間で混信が生じないように、ガードバンドを形成した場合を示す。なお、受信フィルタの周波数選択特性が急峻の場合は、ガードバンドを省略して、周波数間隔を狭くすることも可能であり、又既に知られている周波数分割多重化方式に於ける各種の周波数割り当て手段を適用することができるものである。
【００２０】
又図１に示すシステムに於いて、時分割多重化方式を適用する場合は、例えば、無線系１の親無線機１０から子無線機１１〜１ｍに対する送信は、子無線機１１〜１ｍ対応にタイムスロットｔ１〜ｔｍを割り当て、子無線機１１〜１ｍの送信は、それぞれ他のタイムスロットｔ１’〜ｔｍ’を割り当て、又無線系２の親無線機２０から子無線機２１〜２ｎに対する送信は、子無線機２１〜２ｎ対応にタイムスロットｔ１’〜ｔｎ’を割り当て、子無線機２１〜２ｎの送信は、それぞれタイムスロットｔ１〜ｔｎを割り当てることにより、無線系１の親無線機１０からタイムスロットｔ１〜ｔｍにより送信したデータは、子無線機１１〜１ｍを中継し、且つ、無線系２の子無線機２１〜２ｎ（この場合、ｍ＝ｎ）を中継して無線系２の親無線機２０に伝送される。この場合も、正常に送受信できない子無線機が存在すれば、その子無線機対応のタイムスロットを空きとして伝送を継続することができる。同様に、符号分割多重化方式を適用した場合は、子無線機１１〜１ｍ，２１〜２ｎ対応に拡散符号を割り当て、各子無線機１１〜１ｍ，２１〜２ｎは、割り当てられた拡散符号により逆拡散処理して親無線機からのデータを受信し、再度符号拡散変調により送信する。この場合、子無線機１１〜１ｍ，２１〜２ｎは、受信復調する為の逆拡散符号と異なる拡散符号により拡散変調して中継送信することになる。
【００２１】
又無線系１の親無線機１０から送信したデータを、無線系１の子無線機１１〜１ｍにより受信して、そのデータを直接的に隣接する無線系２の親無線機２０に送信するシステムとすることもできる。この場合、無線系１の子無線機１１〜１ｍの送信パワーを大きくして、直接的に隣接無線系２の親無線機２０が受信できるように設定することになる。又前述の周波数分割多重化方式を適用した場合は、中継動作を行う子無線機１１〜１ｍで、受信周波数ｆ１〜ｆｍを、ｆ１’〜ｆｍ’に変換して送信するから、無線系１の親無線機１０と、無線系２の親無線機２０との送信周波数と受信周波数とを相互に同一とすることになる。又この場合も、中継伝送する子無線機１１〜１ｍの個数に対応したデータ伝送容量とすることができる。
【００２２】
図３は、周波数分割多重化方式を適用した場合の親無線機の要部説明図であり、５０は送受信制御を行う制御手段としての制御部、５１〜５３は送受信部、５４はメモリ、５５はアンテナを示す。送受信部５１〜５３は、それぞれ送信手段としての送信部と受信手段としての受信部とを含み、送受信部５１の送信周波数はｆ１、受信周波数はｆ１’、送受信部５２の送信周波数はｆ２、受信周波数はｆ２’、送受信部５３の送信周波数はｆ３、受信周波数はｆ３’として、３台の図示を省略した子無線機を中継して、他の無線系の親無線機にデータを伝送する場合を示す。なお、送受信部は、この親無線機の配下の子無線機の個数に対応した個数を設けるものであり、各送受信部は、それぞれ異なる送受信周波数を割り当てる。
【００２３】
又メモリ５４は、親無線機の配下の複数の子無線機と、送信したいデータ系列Ｄ１，Ｄ２，・・・（ブロック）を記憶することができ、制御部５０は、メモリ５４から送信データブロックを読出し、送信対象の子無線機数に分割し、分割後の所定長のデータを各送信部に分配し（好ましくは、分割後の所定の長さのデータ１，２，３，・・・のそれぞれに対してＣＲＣ演算を行い、演算結果をＣＲＣビットとして、分割後の各データ１，２，３，・・・の最後尾に付加する）、且つ正常に送信できるまで保持する為のものである。制御部５０は、データ１，２，３を送受信部５１，５２，５３の送信部から周波数ｆ１，ｆ２，ｆ３により送信した後、子無線機が正常に送受信できたか否かを判定（例えば、受信レベルが所定以上か否か、受信ＳＩＲが所定以上か否か、ＣＲＣビットを用いてエラーがあるか否か等により判定）し、正常に送受信できなかった子無線機（送受信部５２の送信部から周波数ｆ２により送信したデータ２を、×印で示すように、送受信部５２の受信部により正常に受信できなかった場合に、例えば、データをメモリ５４からデータ系列Ｄ１を読出して、その子無線機に対する分割後のデータ２を生成し、更に前述のようなＣＲＣビットを付加してから、正常に送受信できた子無線機の中から子無線機を選択又はメモリ５４に記憶しているが、まだ送信先として選択していなかった子無線機の中から子無線機を選択して、再送処理を行う。この場合、送受信部５１の送信部からデータ２を再送信する場合を示す。又正常に送受信できる子無線機が中継送信したデータを受信確認した時、又は受信側の親無線機からの正常受信完了の通知により、制御部５０の制御によって、メモリ５４に保持した送信データを削除することができる。
【００２４】
図４は、前述の親無線機との間で送受信する子無線機の要部説明図であり、６０は各部を制御する制御手段としての制御部、６１は送受信部，６４はメモリ、６５はアンテナを示し、送受信部６１の送信手段としての送信部は、親無線機の送信パワーより大きい送信パワーの構成とし、例えば、送信部の送信周波数をｆ１’とし、受信手段としての受信部の受信周波数をｆ１とした場合を示す。即ち、親無線機の送受信部５１との間でデータ伝送する周波数とした場合を示す。又制御部６０は、親無線機からの制御データ等に従って、自子無線機宛のデータであるか、又は中継伝送するデータであるかを判定して、送受信制御する機能を有するものである。又メモリ６４は、制御部６０の制御により送受信データのバッファリング等を行うものである。
【００２５】
図５は、無線中継伝送のシーケンス説明図であり、図１に示す無線系１の親無線機１０と子無線機１１〜１３と無線系２とについて示す。以下図１、図３、図４を参照して、周波数分割多重化方式を適用した無線系１から無線系２に対する無線中継伝送について説明する。
【００２６】
無線系１の子無線機１１〜１３のそれぞれの受信周波数はｆ１〜ｆ３、送信周波数は、ｆ１’〜ｆ３’に設定され、親無線機１０は、図３に示すように、データ系列Ｄ１(データ１，２，３・・・６)，Ｄ２（７，８，９，・・・１２），Ｄ３・・・を、無線系２に無線中継伝送する場合に、送受信部５１〜５３の送信部からそれぞれ周波数ｆ１〜ｆ３によりデータ１〜３を並列的に送信する。各子無線機１１〜１３は、周波数ｆ１〜ｆ３によるデータ１〜３を受信した場合は、データ１〜３を周波数ｆ１’〜ｆ３’により同時に送信する。その場合の子無線機１１〜１３の送信パワーは、前述のように、親無線機１０の送信パワーより大きく設定して、無線系１の親無線機１０と、他の無線系２の各子無線機又は親無線機とに於いて受信可能とするものである。なお、図５に於いては、説明の都合上、時間間隔をあけて送信するように示しているが、周波数分割多重化方式に従って、周波数ｆ１〜ｆ３によるデータを並列的に同時に送信し、各子無線機１１〜１３は、正常受信の場合、周波数ｆ１’〜ｆ３’によりデータを同時に送信する。
【００２７】
又図３及び図５に於いては、子無線機１２が、非常に低い受信レベルの位置に移動した場合、或いは障害発生の場合等に於いて、周波数ｆ２によるデータ２を受信できないことになり、従って、周波数ｆ２’によりデータ２を送信できないことになる。その為、親無線機１０では、周波数ｆ１’，ｆ３’によるデータ１，３を受信できるが、子無線機１２からの周波数ｆ２’によるデータ２は、図３の×印で示すように、受信できないことになる。そこで、親無線機１０の制御部５０は、子無線機１２が正常に送受信できない状態であると判定し、そのデータ２をメモリ５４から読出して、例えば、正常に送受信できた子無線機１１対応の送受信部５１を指定して、データ２を周波数ｆ１により再送信する。この時、同時に次のデータ４もメモリ５４から読出して、正常に送受信できた子無線機１３対応の送受信部５３を指定して、周波数ｆ３によりデータ４を送信する。
【００２８】
子無線機１１は、受信したデータ２を周波数ｆ１’により送信し、子無線機１３は、受信したデータ４を周波数ｆ３’により送信する。従って、無線系２には、データ１，３が伝送された後、データ２，４が伝送されることになる。この場合、既に知られているように、データに対してそれぞれシーケンス番号等によりデータ順番を示すことによって、無線系２では、正しいデータ順番に並べ替えることができる。
【００２９】
次に、親無線機１０は、次のデータ５を送受信部５１から周波数ｆ１により送信し、その次のデータ６を送受信部５３から周波数ｆ３により送信する。そして、子無線機１１は周波数ｆ１’によりデータ５を中継送信し、子無線機１３は周波数ｆ３’によりデータ６を中継送信する。以上の送信処理により、無線系１の親無線機１１から無線系２へ、データ系列Ｄ１の送信が完了する。この場合、３台の子無線機１１〜１３を介して３並列で中継伝送する予定が、２台の子無線機１１，１３を介して２並列で中継伝送する状態となり、伝送速度が２／３に低下することになる。なお、中継伝送する子無線機の台数が更に多数の場合は、１台程度の中継伝送不可能となった子無線機が含まれても、中継伝送速度の低下は僅かとなる。
【００３０】
次のデータ系列Ｄ２については、前回のデータ系列Ｄ１送信時に子無線機１２が正常に送受信できない状態であったから、この子無線機１２を除いて、子無線機１１，１３を用いた中継伝送を行わせるか、又は全子無線機１１〜１３を用いて中継伝送を行わせるか、又は所定時間経過までは、前回正常に送受信できなかった子無線機１２を除いて中継伝送し、その後に、一旦全子無線機１１〜１３を用いて中継伝送するように制御することができる。
【００３１】
図３及び図５に於いては、データ系列Ｄ１の中継伝送の場合と同様に、データ系列Ｄ２についても、全子無線機１１〜１３にそれぞれ周波数ｆ１〜ｆ３によりデータ７〜９を送信し、その後の子無線機１１〜１３がデータ７〜９を、周波数ｆ１’〜ｆ３’により中継送信できたか否かを判定し、正常に中継送信できた場合は、次のデータ１０〜１２を、周波数ｆ１〜ｆ３により送信し、又正常に中継送信できなかった子無線機対応のデータは、前述の場合と同様に、正常に中継送信できた子無線機を選択し、又は送信先として選択されていなかった子無線機の中から選択して、その選択した子無線機に対して再送信する。
【００３２】
又無線系２の親無線機２０は、無線系１の親無線機１０から子無線機１１〜１ｍを介して送信したデータを、直接的に受信するか、又は無線系２の子無線機２１〜２ｎを介して受信することになる。その場合に、中継伝送可能の子無線機台数に対応した高速伝送が可能であり、又子無線機の移動等により、正常に送受信できる子無線機の台数が変動しても、それに適応して伝送速度を制御できることになる。
【実施例２】
【００３３】
図６は、本発明の実施例２の要部説明図であり、無線系１は、親無線機１０と子無線機１１〜１３とを含み、無線系２は、親無線機２０と子無線機２１〜２３とを含むシステムに於いて、無線系１の親無線機１０からのデータを、無線系２の親無線機２０に対して、無線系１の子無線機１１を介して中継伝送し、又無線系２の親無線機２０からのデータを、無線系１の親無線機１０に対して、無線系１の子無線機１２，１３を介して中継伝送する場合を示す。
【００３４】
又無線系１の親無線機１０は、図７に示すように、各部を制御する制御手段としての制御部５０と、送信手段と受信手段とをそれぞれ含む複数の送受信部５１〜５３とを有する構成を備え、５５はアンテナを示す。即ち、図３と同様な構成を有するもので、メモリは図示を省略している。又送受信部５１〜５３は、それぞれ送信周波数ｆ１〜ｆ３の送信部と、受信周波数ｆ１’〜ｆ３’の受信部とを含む構成を有する場合を示し、制御部５０により、データ系列Ｄ１，Ｄ２，・・・の送信及びデータ系列Ｄ１’，Ｄ２’，・・・の受信の制御が行われる。
【００３５】
又子無線機１１〜１３は、それぞれ受信周波数ｆ１〜ｆ３、送信周波数ｆ１’〜ｆ３’の送受信周波数を有し、且つ親無線機１１より送信パワーが大きい送信手段を有する構成とすることができる。又無線系２の親無線機２０も無線系１の親無線機１０と同様な構成を有するもので、子無線機２１〜２３を介して中継受信する場合は、受信周波数ｆ１〜ｆ３、送信周波数ｆ１’〜ｆ３’とし、子無線機２１〜２３の送信周波数はｆ１〜ｆ３、受信周波数はｆ１’〜ｆ３’とする。
【００３６】
無線系１の親無線機１０から１台の子無線機を介して中継伝送し、無線系２の親無線機２０から２台の子無線機を介して中継伝送する場合について、図６及び図７を参照して説明する。無線系１の親無線機１０は、中継伝送する子無線機１１に対して、送受信部５１の送信部から周波数ｆ１によりデータ系列Ｄ１のデータ１を送信する。子無線機１１は、このデータ１を周波数ｆ１’により送信する。親無線機１０の送受信部５１の受信部により、子無線機１１の周波数ｆ１’によるデータ１を受信し、制御部５０は、子無線機１１が正常送受信の状態と判断することができる。同様にして、親無線機１０は、次のデータ２，３，・・を順次、周波数ｆ１により送信する。
【００３７】
無線系２に於いては、子無線機２１により子無線機１１から周波数ｆ１’のデータを受信して、周波数ｆ１に変換して送信する。親無線機２０は、この周波数ｆ１によるデータを受信することができる。従って、無線系１の親無線機１０から子無線機１１，２１を介して無線系２の親無線機２０に、データ系列Ｄ１，Ｄ２，・・・を中継伝送することができる。
【００３８】
又親無線機２０は、中継伝送する子無線機２２，２３に対してデータ系列Ｄ１’のデータ１，２を周波数ｆ２’，ｆ３’により送信する。子無線機２２，２３は、周波数ｆ２，ｆ３に変換して送信する。この時、親無線機２０は、子無線機２２，２３が周波数ｆ２，ｆ３により送信したデータを受信できるから、子無線機２２，２３が正常に送受信できたか否かを確認することができる。又無線系１の子無線機１２，１３は、周波数ｆ２，ｆ３によるデータを受信して、周波数ｆ２’，ｆ３’に変換して送信する。従って、無線系１の親無線機１０は、送受信部５２の受信部により周波数ｆ２’によるデータ１，３，５，・・・を受信し、送受信部５３の受信部により周波数ｆ３’によるデータ２，４，６，・・・を受信して制御部５０に転送し、データ系列Ｄ１’，Ｄ２’，・・・を再生する受信処理を行うことができる。
【００３９】
前述の実施例２に於いては、無線系１の親無線機１０から無線系２の親無線機２０に対して１台の子無線機１１，２１を介して中継伝送する場合を示すが、実施例１と同様に複数台の子無線機を介して周波数分割多重化方式により中継伝送することもできる。又無線系２の親無線機２０から無線系１の親無線機１０に対して２台の子無線機を介して周波数分割多重化方式により中継伝送する場合を示すが、更に多数の子無線機を介して多重数を増加して中継伝送することもできる。このような無線系１，２間の双方向の同時的な中継伝送に於いて、中継伝送する子無線機の台数の選定により、それぞれ所望の伝送速度で中継伝送することができる。
【００４０】
又この実施例２に於いても、時分割多重化方式や符号分割多重化方式等を適用して、子無線機対応の変調によるデータの中継伝送を行うことができる。又無線系１から無線系２を介して更に他の無線系に中継伝送することもできる。従って、前述の実施例１，２に於ける無線系１，２間の中継伝送のみでなく、更に多数の無線系を含む大規模なシステムに於いても、各無線系の親無線機の送信パワーを大きくすることなく、単一又は複数の子無線機を介して高速中継伝送し、且つその伝送速度を子無線機の台数選択により、適応的に切り替えることも可能である。
【図面の簡単な説明】
【００４１】
【図１】本発明の実施例１の説明図である。
【図２】周波数分割多重化の一例の説明図である。
【図３】親無線機の要部説明図である。
【図４】子無線機の要部説明図である。
【図５】無線中継伝送のシーケンス説明図である。
【図６】本発明の実施例２の説明図である。
【図７】親無線機の送受信手順の説明図である。
【符号の説明】
【００４２】
１，２  無線系
１０，２０  親無線機
１１〜１ｍ，２１〜２ｎ  子無線機
５０  制御部
５１〜５３  送受信部
５４  メモリ
５５  アンテナ
【図１】
2005328325.tif 000003
【図２】
2005328325.tif 000004
【図３】
2005328325.tif 000005
【図４】
2005328325.tif 000006
【図５】
2005328325.tif 000007
【図６】
2005328325.tif 000008
【図７】
2005328325.tif 000009